(57)【要約】【課題】可視光および赤外光を出射する照明装置において、簡便な構成により赤外光を所望の方向に照射する。【解決手段】照明装置は、光源部および赤外光反射部を備える。この照明装置が備える光源部は、可視光および赤外光を出射する。この照明装置が備える赤外光反射部は、その出射された可視光を透過するとともにその出射された赤外光を特定の方向に反射して被写体に照射させ、その照射された赤外光のうちのその被写体により反射される赤外光を撮像部に入射させる。【選択図】図１
2018077318.tif 000002
【特許請求の範囲】
【請求項１】
可視光および赤外光を出射する光源部と、
前記出射された可視光を透過するとともに前記出射された赤外光を特定の方向に反射して被写体に照射させ、当該照射された赤外光のうちの前記被写体により反射される赤外光を撮像部に入射させる赤外光反射部と
を具備する照明装置。
【請求項２】
前記赤外光反射部は、前記被写体の方向を前記特定の方向として前記出射された赤外光を反射する請求項１記載の照明装置。
【請求項３】
前記赤外光反射部は、前記被写体への角度を前記被写体の方向として前記出射された赤外光を反射する請求項２記載の照明装置。
【請求項４】
前記赤外光反射部は、前記被写体までの垂直距離および水平距離に応じた角度を前記被写体への角度として前記出射された赤外光を反射する請求項３記載の照明装置。
【請求項５】
前記赤外光反射部は、正接が前記垂直距離および前記水平距離の比率に略等しくなる角度を前記被写体への角度として前記出射された赤外光を反射する請求項４記載の照明装置。
【請求項６】
前記赤外光反射部は、錐体形状であり、当該錐体の側面において前記赤外光を反射する請求項１記載の照明装置。
【請求項７】
前記赤外光反射部は、自身の照明装置が配置された部屋の形状に応じた底面を有する請求項６記載の照明装置。
【請求項８】
前記赤外光反射部は、前記部屋における壁との距離に応じて延展した前記底面を有する請求項７記載の照明装置。
【請求項９】
前記赤外光反射部は、円錐形状である請求項６記載の照明装置。
【請求項１０】
前記赤外光反射部は、前記錐体の頂部および底面に開口部を有する形状であり、前記被写体により反射される赤外光を前記複数の開口部から前記撮像部に入射させる請求項６記載の照明装置。
【請求項１１】
前記赤外光反射部は、大きさが異なる複数の錐体形状に分割される請求項６記載の照明装置。
【請求項１２】
可視光および赤外光を出射する光源部と、
前記出射された可視光を透過するとともに前記出射された赤外光を特定の方向に反射して被写体に照射させる赤外光反射部と、
前記被写体に照射された赤外光のうちの前記被写体により反射される赤外光に基づいて撮像を行う撮像部と
を具備する撮像装置。
【発明の詳細な説明】
【技術分野】
【０００１】
本技術は、照明装置および撮像装置に関する。詳しくは、赤外光を照射する照明装置およびこの照明装置を有する撮像装置に関する。
【背景技術】
【０００２】
従来、可視光および赤外光を出射する照明装置が使用されている。このような照明装置において、可視光は対象物の照明等に使用される。一方、赤外光は照明以外の用途、例えば、対象物の検査等に使用される。このような可視光および赤外光を出射する照明装置として、例えば、赤色光、緑色光、青色光および赤外光の４つの光源からの光を同一の光軸に集光した後、拡散板により赤外光を拡散照射する照明装置が提案されている（例えば、特許文献１参照。）。この従来技術では、可視光および赤外光を同一の光軸に集光するために、ダイクロイックミラーを使用している。
【先行技術文献】
【特許文献】
【０００３】
【特許文献１】特開平１０−３２２５１９号公報
【発明の概要】
【発明が解決しようとする課題】
【０００４】
上述の従来技術では、ダイクロイックミラーにより可視光および赤外光を同一の光軸に集光している。このダイクロイックミラーは、第１および第２の面を有する。第１面は、赤外光および赤色光を透過させるとともに緑色光および青色光を全反射する。また、第２面は、第１面を透過した赤外光および赤色光を全反射する。このように、ダイクロイックミラーは、光の波長に応じて異なる光路により光を反射する。このダイクロイックミラーの厚みおよび光の入射角度を調整することにより、波長の異なる光を同一の光軸に集光することができる。このダイクロイックミラーにより同一の光軸に集光された可視光および赤外光は、その光軸上の所望の位置に配置された拡散板により拡散される。このように、上述の従来技術では、ダイクロイックミラーおよび拡散板を使用して赤外光の拡散を行うため、装置の構成が複雑になるという問題がある。
【０００５】
本技術はこのような状況に鑑みて生み出されたものであり、可視光および赤外光を出射する照明装置において、簡便な構成により赤外光を所望の方向に照射することを目的とする。
【課題を解決するための手段】
【０００６】
本技術は、上述の問題点を解消するためになされたものであり、その第１の側面は、可視光および赤外光を出射する光源部と、上記出射された可視光を透過するとともに上記出射された赤外光を特定の方向に反射して被写体に照射させ、当該照射された赤外光のうちの上記被写体により反射される赤外光を撮像部に入射させる赤外光反射部とを具備する照明装置である。これにより、赤外光が特定の方向に反射されて被写体に照射されるという作用をもたらす。
【０００７】
また、この第１の側面において、上記赤外光反射部は、上記被写体の方向を上記特定の方向として上記出射された赤外光を反射してもよい。これにより、赤外光が被写体の方向に反射されるという作用をもたらす。
【０００８】
また、この第１の側面において、上記赤外光反射部は、上記被写体への角度を上記被写体の方向として上記出射された赤外光を反射してもよい。これにより、赤外光が被写体への角度の方向に反射されるという作用をもたらす。
【０００９】
また、この第１の側面において、上記赤外光反射部は、上記被写体までの垂直距離および水平距離に応じた角度を上記被写体への角度として上記出射された赤外光を反射してもよい。これにより、垂直距離および水平距離に応じた角度の方向に赤外光が反射されるという作用をもたらす。
【００１０】
また、この第１の側面において、上記赤外光反射部は、正接が上記垂直距離および上記水平距離の比率に略等しくなる角度を上記被写体への角度として上記出射された赤外光を反射してもよい。これにより、正接が垂直距離および水平距離の比率に略等しくなる角度の方向に赤外光が反射されるという作用をもたらす。
【００１１】
また、この第１の側面において、上記赤外光反射部は、錐体形状であり、当該錐体の側面において上記赤外光を反射してもよい。これにより、赤外光が錐体形状の赤外光反射部の側面において反射されるという作用をもたらす。
【００１２】
また、この第１の側面において、上記赤外光反射部は、自身の照明装置が配置された部屋の形状に応じた底面を有してもよい。これにより、部屋の形状に応じた底面を有する垂体形状の赤外光反射部により赤外光が反射されるという作用をもたらす。
【００１３】
また、この第１の側面において、上記赤外光反射部は、上記部屋における壁との距離に応じて延展した上記底面を有してもよい。これにより、壁との距離に応じて延展された底面を有する垂体形状の赤外光反射部により、赤外光が反射されるという作用をもたらす。
【００１４】
また、この第１の側面において、上記赤外光反射部は、円錐形状であってもよい。これにより、円錐形状の赤外光反射部により赤外光が反射されるという作用をもたらす。
【００１５】
また、この第１の側面において、上記赤外光反射部は、上記錐体の頂部および底面に開口部を有する形状であり、上記被写体により反射される赤外光を上記複数の開口部から上記撮像部に入射させてもよい。これにより、赤外光反射部の開口部を介して赤外光が撮像部に入射するという作用をもたらす。
【００１６】
また、この第１の側面において、上記赤外光反射部は、大きさが異なる複数の錐体形状に分割されてもよい。これにより、錐体形状を有する複数の赤外光反射部により赤外光が反射されるという作用をもたらす。
【００１７】
また、本技術の第２の側面は、可視光および赤外光を出射する光源部と、上記出射された可視光を透過するとともに上記出射された赤外光を特定の方向に反射して被写体に照射させる赤外光反射部と、上記被写体に照射された赤外光のうちの上記被写体により反射される赤外光に基づいて撮像を行う撮像部とを具備する撮像装置である。これにより、赤外光が特定の方向に反射されて被写体に照射されるという作用をもたらす。
【発明の効果】
【００１８】
本技術によれば、可視光および赤外光を出射する照明装置において、簡便な構成により赤外光を所望の方向に照射するという優れた効果を奏し得る。なお、ここに記載された効果は必ずしも限定されるものではなく、本開示中に記載されたいずれかの効果であってもよい。
【図面の簡単な説明】
【００１９】
【図１】本技術の第１の実施の形態における撮像装置１００の構成例を示す図である。
【図２】本技術の第１の実施の形態における撮像装置１００の構成例を示す断面図である。
【図３】本技術の第１の実施の形態における撮像装置１００の配置例を示す図である。
【図４】本技術の第１の実施の形態における赤外光の反射方向の一例を示す図である。
【図５】本技術の第２の実施の形態における赤外光反射部１５０の構成例を示す図である。
【図６】本技術の第２の実施の形態における赤外光反射部１５０の他の構成例を示す図である。
【図７】本技術の第３の実施の形態における撮像装置１００の構成例を示す断面図である。
【図８】本技術の実施の形態の変形例における照明装置２００の構成例を示す図である。
【発明を実施するための形態】
【００２０】
以下、本技術を実施するための形態（以下、実施の形態と称する）について説明する。説明は以下の順序により行う。
１．第１の実施の形態（開口部を有する円錐形状の赤外光反射部を使用する場合の例）
２．第２の実施の形態（赤外光反射部の底面を部屋の形状に応じて変更する場合の例）
３．第３の実施の形態（複数の赤外光反射部を有する場合の例）
４．変形例
【００２１】
＜１．第１の実施の形態＞
［撮像装置の構成］
図１は、本技術の第１の実施の形態における撮像装置１００の構成例を示す図である。この撮像装置１００は、光源部１１０と、赤外光反射部１２０と、撮像部１３０とを備える。
【００２２】
光源部１１０は、可視光および赤外光を出射するものである。このうち可視光は、室内の照明に使用される。一方、赤外光は、室内の撮影のために使用される。このように、室内の撮影において赤外光を使用することにより、可視光とは異なる輝度の光により撮影を行うことができる。これにより、照明および撮影のそれぞれに最適な輝度の光を照射することができる。また、赤外光による撮影を行うことにより、侵入者等に対して室内の撮影を隠匿することができる。また、煙等による撮影の妨害を防ぐことも可能となる。可視光および赤外光の光源には、例えば、ＬＥＤ（Light Emitting Diode）を使用することができる。また、光源部１１０は中央部に開口部を有しており、この開口部に撮像部１３０が配置される。
【００２３】
赤外光反射部１２０は、光源部１１０から出射された赤外光を特定の方向に反射して被写体に照射するものである。この特定の方向には、例えば、被写体の方向が該当する。また、この赤外光反射部１２０は、光源部１１０から出射された可視光を透過させることができる。これにより、光源部１１０により出射された赤外光を室内に広く拡散させるとともに、光源部１１０により出射された可視光を予め設定された領域、例えば、撮像装置１００の直下の領域に照射させることができる。同図の赤外光反射部１２０は、円錐形状であり、後述するように側面において赤外光を反射する。このため、赤外光を均一に反射することができる。また、同図の赤外光反射部１２０は、頂部および底面に開口部を有する。赤外光反射部１２０の構成の詳細については後述する。なお、光源部１１０および赤外光反射部１２０は、照明装置を構成する。
【００２４】
なお、赤外光反射部１２０の形状は、この例に限定されない。例えば、四角錘や八角錐等の垂体形状にすることができる。赤外光反射部１２０の形状として四角錘を採用する場合には、撮像装置１００が配置される部屋の形状に応じて底面の形状を変更することができる。例えば、部屋の形状が正方形の場合には正方形の形状の底面を有する垂体にすることができ、部屋の形状が長方形の場合には長方形の形状の底面を有する垂体にすることができる。
【００２５】
撮像部１３０は、被写体に照射された赤外光のうち、被写体により反射される赤外光に基づいて撮像を行うものである。これにより、不審者の室内への侵入等を監視することができる。また、同図の撮像部１３０には、赤外光反射部１２０の頂部および底面の開口部から赤外光が入射する。
【００２６】
［撮像装置の構成］
図２は、本技術の第１の実施の形態における撮像装置１００の構成例を示す断面図である。同図の光源部１１０は、基板１１１、可視光光源１１２および赤外光光源１１３を備え、基板１１１の片面に複数の可視光光源１１２および赤外光光源１１３が配置されて構成される。可視光光源１１２および赤外光光源１１３から出射された可視光および赤外光は、基板１１１の可視光光源１１２等が配置された面に垂直な方向に出射される。撮像装置１００が部屋の天井に配置された場合を想定すると、光源部１１０から出射された可視光および赤外光は、主に床に向かう方向に照射される。
【００２７】
赤外光は室内の監視に使用するため、室内に広く拡散させる必要がある。例えば、部屋への侵入者の監視を行う場合には、部屋の入り口付近に照射させる必要がある。そこで、同図の撮像装置１００は、赤外光反射部１２０を光源部１１０の下方に配置し、光源部１１０から出射された赤外光を反射して散乱させる。一方、可視光は、照明に使用するものであり、対象の領域、例えば、撮像装置１００の直下の比較的狭い領域に照射する必要がある。そこで、赤外光を反射するとともに可視光を透過する素材により赤外光反射部１２０を構成する。これにより、出射された可視光が赤外光反射部１２０により遮られることなく撮像装置１００の直下の領域に照射され、当該領域を明るく照らすことができる。
【００２８】
同図の光路１２３は、可視光光源１１２から出射された可視光の光路を表したものである。可視光光源１１２から出射された可視光は、赤外光反射部１２０を透過して撮像装置１００の直下の領域に照射される。また、同図の光路１２２は、赤外光光源１１３から出射された赤外光の光路を表したものである。出射された赤外光は赤外光反射部１２０により反射され、部屋の壁の方向に散乱される。その後、赤外光は、壁によりさらに散乱され、部屋全体に照射される。このように、赤外光反射部１２０を配置することにより、可視光および赤外光をそれぞれ異なる方向の光路にすることができる。また、円錐形状の赤外光反射部１２０により、赤外光を所望の方向に照射することができ、撮像装置１００の構成を簡略化することができる。
【００２９】
なお、赤外光を反射する際の反射率を、略１００％にすることにより、多くの赤外光を壁の方向に照射させることができる。また、この反射率は、撮像装置１００が配置される部屋の形状に応じて変更することができる。例えば、撮像装置１００が天井に設置され、床から天井までの距離が比較的高い場合には、反射率を低くすることができる。
【００３０】
撮像部１３０は、赤外光反射部１２０の開口部１２１および１２４から入射した赤外光に基づく撮像を行う。同図の撮像部１３０は、レンズ１３１を有する。このレンズ１３１により、部屋全体から入射する赤外光を撮像素子（不図示）に導くことができる。この撮像素子は、撮像部１３０の本体部分（同図の撮像部１３０のうち矩形により表された部分）に配置される。なお、同図の２点鎖線は、撮像部１３０の撮像範囲を表したものである。
【００３１】
［撮像装置の配置］
図３は、本技術の第１の実施の形態における撮像装置１００の配置例を示す図である。同図は、撮像装置１００が部屋３００の天井に配置される例を表したものである。また、同図の撮像装置１００は、保護部１４０を備える例を表したものである。この保護部１４０は、撮像装置１００の光源部１１０等を保護するものである。また、保護部１４０を半透明な部材により構成することにより、撮像部１３０の存在を隠匿することができる。
【００３２】
部屋３００には入口３０１が配置され、侵入者４０１はこの入口３０１から室内に侵入する。そこで、撮像装置１００は、この入口３０１に赤外光を照射して監視を行う。この際、光源部１１０から出射された赤外光を侵入者４０１の体の中心部の方向に反射することにより、侵入者４０１の全体に赤外光を照射することができる。同図の１点鎖線は、撮像装置１００の中心線を表す。同図のＷ、Ｈ１およびＨ２は、それぞれ撮像装置１００と入口までの水平距離、床から天井までの高さおよび侵入者４０１の中心部までの高さを表す。また、Ｌは、撮像装置１００からの垂直距離を表す。このＬは、Ｈ１からＨ２を減算したものである。
【００３３】
［赤外光の反射方向］
図４は、本技術の第１の実施の形態における赤外光の反射方向の一例を示す図である。同図は、赤外光反射部１２０における赤外光の反射の方向を被写体への角度として表したものである。この被写体への角度は、垂直距離および水平距離に応じた角度にすることができる。同図のＷ'およびＬ'は、赤外光反射部１２０の側面を基準とした水平距離および垂直距離をそれぞれ表したものである。このＷ'およびＬ'は、撮像装置１００の中心および部屋３００の天井から赤外光反射部１２０の側面までの距離を除いて、図３において説明したＷおよびＬと等価である。同図に表したように、被写体（侵入者４０１）への角度θとＷ'およびＬ'との関係は、次式により表すことができる。
【００３４】
ｔａｎθ＝Ｗ'／Ｌ'
すなわち、被写体への角度θは、正接が垂直距離および水平距離の比率に略等しくなる角度にすることができる。例えば、撮像装置１００と入口までの水平距離Ｗが４３４０ｍｍ、床から天井までの高さＨ１が２３５０ｍｍの場合において、侵入者４０１の身長を１７００ｍｍと想定した場合には、撮像装置１００からの垂直距離Ｌは、１５００ｍｍとなる。この場合には、被写体への角度θは、次式により算出することができる。
【００３５】
θ＝ｔａｎ−１（Ｗ'／Ｌ'）＝ｔａｎ−１（４３４０／１５００）＝７０．９°
すなわち、被写体への角度を７０．９°にすることにより、監視対象の侵入者４０１に対して赤外光を照射することができる。
【００３６】
このように、本技術の第１の実施の形態では、赤外光反射部１２０によって赤外光を被写体に照射させることにより、撮像に必要な光量を確保することができる。これにより、照明および撮影のそれぞれに最適な輝度の光を照射することができ、撮像装置１００の構成を簡略化することができる。
【００３７】
＜２．第２の実施の形態＞
上述の第１の実施の形態では、円錐形状の赤外光反射部を使用していた。これに対し、部屋の形状に応じて底面の形状を変更してもよい。本技術の第２の実施の形態では、底面の形状を変更した円錐形状の赤外光反射部を使用する点において、第１の実施の形態と異なる。
【００３８】
［赤外光反射部の構成］
図５は、本技術の第２の実施の形態における赤外光反射部１５０の構成例を示す図である。同図におけるａは、赤外光反射部１５０の上面図を表したものであり、赤外光反射部１５０と部屋３００との関係を表したものである。また、同図におけるｂは、赤外光反射部１５０の構成を表す模式図である。
【００３９】
同図においては、部屋３００の床の形状は正方形であることを想定する。同図の赤外光反射部１５０は、部屋３００の形状に応じた底面を有する。具体的には、同図の赤外光反射部１５０は、部屋３００の壁に近い領域の底面が壁の方向に延展されて構成されたものである。底面を延展することにより、当該領域の側面の曲率が大きくなる。このため、この領域の側面により反射された赤外光は、広い範囲に拡散される。一方、底面の延展を行わない領域では、側面の曲率が小さくなり、反射された赤外光は、比較的狭い領域に照射される。同図に表したように、赤外光反射部１５０により反射された赤外光の光路１２２のうち、底面が延展された領域の光路１２２は、底面が延展されない領域の方向に分散される。このため、部屋３００の壁に近い領域より隅の領域に多くの赤外光を配光することができ、部屋３００の隅および壁近傍の赤外光の光量を均一にすることができる。これにより、不審者等の監視を容易に行うことができる。
【００４０】
また、赤外光の配光位置を調整する際には、赤外光反射部１５０を回転させることにより、容易に行うことができる。なお、赤外光反射部１５０の構成は、この例に限定されない。例えば、赤外光反射部１５０の開口部１５１の形状を底面と同様の形状にすることができる。また、赤外光反射部１５０の底面の形状を八角形状にすることもできる。この場合には、赤外光反射部１５０の底面のうち、八角形の辺の部分が部屋３００の隅に対向する方向に赤外光反射部１５０を配置することができる。
【００４１】
図６は、本技術の第２の実施の形態における赤外光反射部１５０の他の構成例を示す図である。同図においては、部屋３００の床の形状は長方形であることを想定する。同図の底面は部屋３００の長辺方向の壁に近い領域と比較して短辺方向の壁に近い領域を大きく延展させたものである。このため、短辺方向の壁に近い領域の側面の曲率をより大きくすることができ、短辺方向の壁に照射される赤外光を他の領域に分散させることができる。この結果、部屋３００の隅、長辺方向の壁および短辺方向の壁の順に反射赤外光を多く配光することができ、長方形の形状を有する部屋３００において、隅および壁近傍の赤外光の光量を均一にすることができる。
【００４２】
これ以外の撮像装置１００の構成は本技術の第１の実施の形態における撮像装置１００と同様であるため、説明を省略する。
【００４３】
このように、本技術の第２の実施の形態によれば、赤外光反射部の形状を部屋の形状に応じて変更することにより、部屋３００の隅および壁近傍の赤外光の光量を均一にして、撮像の際の光量の不足を防止することができる。
【００４４】
＜３．第３の実施の形態＞
上述の第１の実施の形態では、１つの赤外光反射部１２０を使用していた。これに対し、複数の赤外光反射部を使用してもよい。本技術の第３の実施の形態では、複数の赤外光反射部により赤外光を反射する点において、第１の実施の形態と異なる。
【００４５】
［撮像装置の構成］
図７は、本技術の第３の実施の形態における撮像装置１００の構成例を示す断面図である。同図の撮像装置１００は、赤外光反射部１２０の代わりに赤外光反射部１７０および１８０を備え、撮像部１３０の代わりに撮像部１９０を備える点で、図２において説明した撮像装置１００と異なる。
【００４６】
赤外光反射部１７０および１８０は、可視光を透過させ、赤外光を反射させるものである。これらは、何れも頂部および底面に開口部を有する。また、赤外光反射部１７０は、赤外光反射部１８０より大きい。そして、これらは、同じ軸に沿って配置され、赤外光反射部１７０は、赤外光反射部１８０の外側に配置される。このように、赤外光反射部１７０および１８０は、図２において説明した赤外光反射部１２０を分割し、重ねて配置したものと捉えることができる。重ねて配置することにより、撮像装置１００を小型化することができる。なお、赤外光反射部の構成はこの例に限定されない。例えば、３つの赤外光反射部を配置する構成にすることもできる。
【００４７】
撮像部１９０は、赤外光反射部１７０および１８０の開口部から入射した赤外光に基づいて撮像を行うものである。図２において説明した撮像部１３０と比較して、本体部分とレンズ１９１との距離を短くすることができる。このため、撮像部１９０を小型化することができる。
【００４８】
これ以外の撮像装置１００の構成は本技術の第１の実施の形態における撮像装置１００と同様であるため、説明を省略する。
【００４９】
このように、本技術の第３の実施の形態によれば、大きさが異なる複数の赤外光反射部を配置して赤外光を反射することにより、撮像装置１００を小型化することができる。
【００５０】
＜４．変形例＞
上述の実施の形態では、開口部を有する赤外光反射部１２０を使用していた。これに対し、開口部を省略した赤外光反射部を使用してもよい。本技術の実施の形態の変形例では、開口部を省略することにより、簡略化した赤外光反射部を使用する点において、上述の実施の形態と異なる。
【００５１】
［照明装置の構成］
図８は、本技術の実施の形態の変形例における照明装置２００の構成例を示す図である。この照明装置２００は、光源部２１０と、赤外光反射部２２０とを備える。
【００５２】
光源部２１０は、図１において説明した光源部１１０と同様、可視光および赤外光を出射するものである。この光源部２１０は、開口部を省略する点で、光源部１１０とは異なる。
【００５３】
赤外光反射部２２０は、可視光を透過し、赤外光を反射するものである。この赤外光反射部２２０は、図１において説明した赤外光反射部１２０と同様に垂体形状に構成される。一方、赤外光反射部１２０とは異なり、赤外光反射部２２０は、開口部を省略することができる。
【００５４】
なお、撮像部１３０を配置することにより、撮像装置を構成することができる。撮像部１３０は、照明装置２００から離れた任意の位置、例えば、部屋の入口付近に配置することができる。
【００５５】
これ以外の光源部２１０および赤外光反射部２２０の構成は本技術の第１の実施の形態における光源部１１０および赤外光反射部１２０と同様であるため、説明を省略する。
【００５６】
このように、本技術の実施の形態の変形例によれば、赤外光反射部２２０の開口部を省略することにより、赤外光反射部２２０の構成を簡略化することができる。
【００５７】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００５８】
なお、本明細書に記載された効果はあくまで例示であって、限定されるものではなく、また、他の効果があってもよい。
【００５９】
なお、本技術は以下のような構成もとることができる。
（１）可視光および赤外光を出射する光源部と、
前記出射された可視光を透過するとともに前記出射された赤外光を特定の方向に反射して被写体に照射させ、当該照射された赤外光のうちの前記被写体により反射される赤外光を撮像部に入射させる赤外光反射部と
を具備する照明装置。
（２）前記赤外光反射部は、前記被写体の方向を前記特定の方向として前記出射された赤外光を反射する前記（１）に記載の照明装置。
（３）前記赤外光反射部は、前記被写体への角度を前記被写体の方向として前記出射された赤外光を反射する前記（２）に記載の照明装置。
（４）前記赤外光反射部は、前記被写体までの垂直距離および水平距離に応じた角度を前記被写体への角度として前記出射された赤外光を反射する前記（３）に記載の照明装置。
（５）前記赤外光反射部は、正接が前記垂直距離および前記水平距離の比率に略等しくなる角度を前記被写体への角度として前記出射された赤外光を反射する前記（４）に記載の照明装置。
（６）前記赤外光反射部は、錐体形状であり、当該錐体の側面において前記赤外光を反射する前記（１）に記載の照明装置。
（７）前記赤外光反射部は、自身の照明装置が配置された部屋の形状に応じた底面を有する前記（６）に記載の照明装置。
（８）前記赤外光反射部は、前記部屋における壁との距離に応じて延展した前記底面を有する前記（７）に記載の照明装置。
（９）前記赤外光反射部は、円錐形状である前記（６）から（８）のいずれかに記載の照明装置。
（１０）前記赤外光反射部は、前記錐体の頂部および底面に開口部を有する形状であり、前記被写体により反射される赤外光を前記複数の開口部から前記撮像部に入射させる前記（６）から（９）のいずれかに記載の照明装置。
（１１）前記赤外光反射部は、大きさが異なる複数の錐体形状に分割される前記（６）から（１０）のいずれかに記載の照明装置。
（１２）可視光および赤外光を出射する光源部と、
前記出射された可視光を透過するとともに前記出射された赤外光を特定の方向に反射して被写体に照射させる赤外光反射部と、
前記被写体に照射された赤外光のうちの前記被写体により反射される赤外光に基づいて撮像を行う撮像部と
を具備する撮像装置。
【符号の説明】
【００６０】
１００  撮像装置
１１０、２１０  光源部
１１１  基板
１１２  可視光光源
１１３  赤外光光源
１２０、１５０、１７０、１８０、２２０  赤外光反射部
１２１、１２４、１５１  開口部
１３０、１９０  撮像部
１３１、１９１  レンズ
１４０  保護部
２００  照明装置
３００  部屋
【図１】
2018077318.tif 000003
【図２】
2018077318.tif 000004
【図３】
2018077318.tif 000005
【図４】
2018077318.tif 000006
【図５】
2018077318.tif 000007
【図６】
2018077318.tif 000008
【図７】
2018077318.tif 000009
【図８】
2018077318.tif 000010